(57)【要約】【課題】発注データの仮登録と本登録確定を行なう発注システムの利点を活かしつつ、商品登録時に起きるデータベース間のデータ不整合を防止する。【解決手段】  発注システムは、発注端末１ａと、発注端末１ａによりエントリされた発注データを登録する発注データＤＢ４１とを有する。発注端末１ａは、所定の発注画面を表示する画面表示機１０と、表示された発注画面上で発注すべき商品毎にその発注数を含む発注データをエントリするデータ入力器２０と、発注データがエントリされたとき、発注データＤＢ４１上に、発注データを仮発注データとして判別可能に仮登録し、仮登録された仮発注データを確定するための所定の操作が行われたとき、仮発注データを発注確定データとして判別可能に本登録する演算装置（表示データ演算処理器３１、メモリシステム３２）３０とを備える。【選択図】  図１
2006277536.tif 000002
【特許請求の範囲】
【請求項１】
所定の発注画面を表示し、表示された発注画面上で発注すべき商品毎にその発注数を含む発注データをエントリする発注端末と、
前記発注端末によりエントリされた発注データを登録するデータベースとを有する発注システムであって、
前記発注端末により前記発注データがエントリされたとき、前記データベース上に、当該発注データを仮発注データとして判別可能に仮登録し、仮登録された仮発注データを確定するための所定の操作が行われたとき、当該仮発注データを発注確定データとして判別可能に本登録する処理手段を備えることを特徴とする発注システム。
【請求項２】
前記処理手段は、前記発注端末により前記発注データの発注数がエントリされたとき、前記データベース上に、エントリされた当該発注データを仮発注データとして判別可能に仮登録し、仮登録された当該仮発注データの発注数を確定するための所定の操作が行われたとき、当該仮発注データを発注確定データとして判別可能に本登録することを特徴とする請求項１記載の発注システム。
【請求項３】
前記発注データは、当該発注データの未確定状態とその確定状態とをそれぞれ特定可能なフラグを有し、
前記処理手段は、前記発注データの仮登録時には、前記発注データのフラグを前記未確定状態に対応する値に設定する一方、前記発注データの本登録時には、前記発注データのフラグを前記未確定状態に対応する値に設定する手段を備えることを特徴とする請求項１又は２記載の発注システム。
【請求項４】
前記データベース上の前記発注データのフラグの値に基づいて、前記発注データが仮発注データか発注確定データかを判別する判別手段と、
前記判別手段による判別結果に基づいて、前記発注端末の発注画面上で前記仮発注データと前記発注確定データとを視覚的に判別可能に色分け表示する手段とをさらに有することを特徴とする請求項１乃至３のいずれか１項記載の発注システム。
【請求項５】
前記所定の操作は、前記発注端末の発注画面上に予め設定された所定操作ボタンによる操作であることを特徴とする請求項１乃至４のいずれか１項記載の発注システム。
【請求項６】
前記発注端末は、前記データベース及び前記処理手段に通信回線を介して通信可能に接続されることを特徴とする請求項１乃至５のいずれか１項記載の発注システム。
【請求項７】
前記処理手段は、前記発注端末内に一体に搭載されることを特徴とする請求項１乃至５のいずれか１項記載の発注システム。
【請求項８】
所定の発注画面を表示し、表示された発注画面上で発注すべき商品毎にその発注数を含む発注データをエントリする発注端末と、前記発注端末によりエントリされた発注データを登録するデータベースとを有する発注システムの処理方法であって、
前記発注端末により前記発注データがエントリされたとき、前記データベース上に、当該発注データを仮発注データとして判別可能に仮登録する仮登録ステップと、
仮登録された仮発注データを確定するための所定の操作が行われたとき、当該仮発注データを発注確定データとして判別可能に本登録する本登録ステップとを有することを特徴とする発注システムの処理方法。
【請求項９】
前記仮登録ステップは、前記発注端末により前記発注データの発注数がエントリされたとき、前記データベース上に、エントリされた当該発注データを仮発注データとして判別可能に仮登録し、
前記本登録ステップは、仮登録された当該仮発注データの発注数を確定するための所定の操作が行われたとき、当該仮発注データを発注確定データとして判別可能に本登録することを特徴とする請求項８記載の発注システムの処理方法。
【請求項１０】
前記発注データは、当該発注データの未確定状態とその確定状態とをそれぞれ特定可能なフラグを有し、
前記仮登録ステップは、前記発注データのフラグを前記未確定状態に対応する値に設定するステップを有し、
前記本登録ステップは、前記発注データのフラグを前記未確定状態に対応する値に設定するステップを有することを特徴とする請求項８又は９記載の発注システムの処理方法。
【請求項１１】
前記データベース上の前記発注データのフラグの値に基づいて、前記発注データが仮発注データか発注確定データかを判別するステップと、
判別された結果に基づいて、前記発注端末の発注画面上で前記仮発注データと前記発注確定データとを視覚的に判別可能に色分け表示するステップとをさらに有することを特徴とする請求項８乃至１０のいずれか１項記載の発注システムの処理方法。
【請求項１２】
所定の発注画面を表示し、表示された発注画面上で発注すべき商品毎にその発注数を含む発注データをエントリする発注端末と、前記発注端末によりエントリされた発注データを登録するデータベースとを有する発注システムの処理プログラムであって、
コンピュータに、
前記発注端末により前記発注データがエントリされたとき、前記データベース上に、当該発注データを仮発注データとして判別可能に仮登録する仮登録ステップと、
仮登録された仮発注データを確定するための所定の操作が行われたとき、当該仮発注データを発注確定データとして判別可能に本登録する本登録ステップとを実行させることを特徴とする発注システムの処理プログラム。
【請求項１３】
前記仮登録ステップは、前記発注端末により前記発注データの発注数がエントリされたとき、前記データベース上に、エントリされた当該発注データを仮発注データとして判別可能に仮登録し、
前記本登録ステップは、仮登録された当該仮発注データの発注数を確定するための所定の操作が行われたとき、当該仮発注データを発注確定データとして判別可能に本登録することを特徴とする請求項１２記載の発注システムの処理プログラム。
【請求項１４】
前記発注データは、当該発注データの未確定状態とその確定状態とをそれぞれ特定可能なフラグを有し、
前記仮登録ステップは、前記発注データのフラグを前記未確定状態に対応する値に設定するステップを有し、
前記本登録ステップは、前記発注データのフラグを前記未確定状態に対応する値に設定するステップを有することを特徴とする請求項１２又は１３記載の発注システムの処理プログラム。
【請求項１５】
前記コンピュータに、
前記データベース上の前記発注データのフラグの値に基づいて、前記発注データが仮発注データか発注確定データかを判別するステップと、
判別された結果に基づいて、前記発注端末の発注画面上で前記仮発注データと前記発注確定データとを視覚的に判別可能に色分け表示するステップとをさらに実行させることを特徴とする請求項１２乃至１４のいずれか１項記載の発注システムの処理プログラム。
【発明の詳細な説明】
【技術分野】
【０００１】
本発明は、発注システム、その処理方法及びプログラムに係り、とくにデータベースへの商品登録時のデータ不整合を防止する手法の工夫に関する。
【背景技術】
【０００２】
倉庫在庫管理等、在庫商品あるいは材料を在庫として確保するため発注処理を必要とする小売業や卸業、飲食店等の業種で用いられる店舗システムには、発注データ管理端末（商品発注専用端末）あるいはそれに類似する端末やソフトウェアを用いた発注システムが知られている。この発注システムでは、発注すべき商品の発注数等の発注データがエントリされ、データベースに登録される。登録されたデータは、発注システムに通信可能に接続された発注先のシステムに送信される。こうすることで、発注処理が行われ、商品あるいは在庫が補充される。
【０００３】
このような発注システムを用いた発注処理では、発注商品のデータエントリをデータベースに直接登録していたため、発注データをエントリすると、直ちに本登録確定として扱われる（エントリ＝本登録確定）。そのため、発注データの確定後に数値を修正する時は、その発注データに上書きして書き込む。そして、上書きされた発注データが発注先のシステムに送信される。この場合、システムの仕様によっては、後書きの発注データを受け付けない場合があるため、運用において細心の注意を払う必要があった。このため、運用によっては、発注データのエントリミスを訂正したり、発注時間中に数量変更を行なったりするのが困難な場合があった。
【０００４】
その対策として、発注データのエントリが登録されるデータベースを仮登録用と本登録用とに分けて運用するシステムも知られている。
【特許文献１】特開２００４−１６４１４６号公報
【発明の開示】
【発明が解決しようとする課題】
【０００５】
しかしながら、上述のようにデータベースを仮登録用と本登録用とに分けて運用するシステムでは、例えば同一店舗内で複数の発注端末を同時期に使用していた場合、複数の端末で参照すべき仮登録データ（仮確定データ）と本登録データ（確定データ）とのそれぞれの参照先が違うため、複数の端末で発注行為を行った場合、データベース間で発注データのデータ不整合が起きる可能性があり、その防止策が望まれている。また、発注データの入力に際し、仮確定データと確定データとが混在するため、表示画面上で確定データを判別し難く、必ずしも操作性がよいものではなかった。
【０００６】
一方、これに関連する先行技術文献として、注文後の商品情報変更によるユーザの注文処理のやり直しを防止する商品受発注管理方法及び装置が提案されている（特許文献１参照）。このような方法及び装置においても、上記のような商品登録時の不整合を防止することを必ずしも意図したものでない。
【０００７】
本発明は、このような従来の事情を考慮してなされたもので、発注データの仮登録と本登録確定を行なう発注システムの利点を活かしつつ、商品登録時に起きるデータベース間のデータ不整合を防止することを目的とする。
【課題を解決するための手段】
【０００８】
上記目的を達成するため、本発明に係る発注システムは、所定の発注画面を表示し、表示された発注画面上で発注すべき商品毎にその発注数を含む発注データをエントリする発注端末と、前記発注端末によりエントリされた発注データを登録するデータベースとを有する発注システムであって、前記発注端末により前記発注データがエントリされたとき、前記データベース上に、当該発注データを仮発注データとして判別可能に仮登録し、仮登録された仮発注データを確定するための所定の操作が行われたとき、当該仮発注データを発注確定データとして判別可能に本登録する処理手段を備えることを特徴とする。
【０００９】
本発明において、前記処理手段は、前記発注端末により前記発注データの発注数がエントリされたとき、前記データベース上に、エントリされた当該発注データを仮発注データとして判別可能に仮登録し、仮登録された当該仮発注データの発注数を確定するための所定の操作が行われたとき、当該仮発注データを発注確定データとして判別可能に本登録してもよい。
【００１０】
前記発注データは、当該発注データの未確定状態とその確定状態とをそれぞれ特定可能なフラグを有し、前記処理手段は、前記発注データの仮登録時には、前記発注データのフラグを前記未確定状態に対応する値に設定する一方、前記発注データの本登録時には、前記発注データのフラグを前記未確定状態に対応する値に設定する手段を備えてもよい。
【００１１】
本発明において、前記データベース上の前記発注データのフラグの値に基づいて、前記発注データが仮発注データか発注確定データかを判別する判別手段と、前記判別手段による判別結果に基づいて、前記発注端末の発注画面上で前記仮発注データと前記発注確定データとを視覚的に判別可能に色分け表示する手段とをさらに有してもよい。
【００１２】
また、前記所定の操作は、前記発注端末の発注画面上に予め設定された所定操作ボタンによる操作であってもよい。前記発注端末は、前記データベース及び前記処理手段に通信回線を介して通信可能に接続されてもよい。前記処理手段は、前記発注端末内に一体に搭載されてもよい。
【００１３】
本発明に係る発注システムの処理方法は、所定の発注画面を表示し、表示された発注画面上で発注すべき商品毎にその発注数を含む発注データをエントリする発注端末と、前記発注端末によりエントリされた発注データを登録するデータベースとを有する発注システムの処理方法であって、前記発注端末により前記発注データがエントリされたとき、前記データベース上に、当該発注データを仮発注データとして判別可能に仮登録する仮登録ステップと、仮登録された仮発注データを確定するための所定の操作が行われたとき、当該仮発注データを発注確定データとして判別可能に本登録する本登録ステップとを有することを特徴とする。
【００１４】
本発明において、前記仮登録ステップは、前記発注端末により前記発注データの発注数がエントリされたとき、前記データベース上に、エントリされた当該発注データを仮発注データとして判別可能に仮登録し、前記本登録ステップは、仮登録された当該仮発注データの発注数を確定するための所定の操作が行われたとき、当該仮発注データを発注確定データとして判別可能に本登録してもよい。
【００１５】
前記発注データは、当該発注データの未確定状態とその確定状態とをそれぞれ特定可能なフラグを有し、前記仮登録ステップは、前記発注データのフラグを前記未確定状態に対応する値に設定するステップを有し、前記本登録ステップは、前記発注データのフラグを前記未確定状態に対応する値に設定するステップを有してもよい。
【００１６】
本発明において、前記データベース上の前記発注データのフラグの値に基づいて、前記発注データが仮発注データか発注確定データかを判別するステップと、判別された結果に基づいて、前記発注端末の発注画面上で前記仮発注データと前記発注確定データとを視覚的に判別可能に色分け表示するステップとをさらに有してもよい。
【００１７】
本発明に係る発注システムの処理プログラムは、所定の発注画面を表示し、表示された発注画面上で発注すべき商品毎にその発注数を含む発注データをエントリする発注端末と、前記発注端末によりエントリされた発注データを登録するデータベースとを有する発注システムの処理プログラムであって、コンピュータに、前記発注端末により前記発注データがエントリされたとき、前記データベース上に、当該発注データを仮発注データとして判別可能に仮登録する仮登録ステップと、仮登録された仮発注データを確定するための所定の操作が行われたとき、当該仮発注データを発注確定データとして判別可能に本登録する本登録ステップとを実行させることを特徴とする。
【００１８】
本発明において、前記仮登録ステップは、前記発注端末により前記発注データの発注数がエントリされたとき、前記データベース上に、エントリされた当該発注データを仮発注データとして判別可能に仮登録し、前記本登録ステップは、仮登録された当該仮発注データの発注数を確定するための所定の操作が行われたとき、当該仮発注データを発注確定データとして判別可能に本登録してもよい。
【００１９】
前記発注データは、当該発注データの未確定状態とその確定状態とをそれぞれ特定可能なフラグを有し、前記仮登録ステップは、前記発注データのフラグを前記未確定状態に対応する値に設定するステップを有し、前記本登録ステップは、前記発注データのフラグを前記未確定状態に対応する値に設定するステップを有してもよい。
【００２０】
本発明において、前記コンピュータに、前記データベース上の前記発注データのフラグの値に基づいて、前記発注データが仮発注データか発注確定データかを判別するステップと、判別された結果に基づいて、前記発注端末の発注画面上で前記仮発注データと前記発注確定データとを視覚的に判別可能に色分け表示するステップとをさらに実行させてもよい。
【発明の効果】
【００２１】
本発明によれば、発注データの仮登録と本登録確定を行なう発注システムの利点を活かしつつ、商品登録時に起きるデータベース間のデータ不整合を防止することができる。
【発明を実施するための最良の形態】
【００２２】
以下、本発明にかかる発注システム、その処理方法及びプログラムを実施するための最良の形態について図面を参照して詳細に説明する。
【００２３】
本実施形態の発注システムは、店舗システム中の商品発注専用端末における、発注商品のデータエントリの内部ロジックについて、発注データの不整合を防止する手法を具備し、仮発注データと確定データエントリを管理するデータベースを１つで管理することで、複数端末からの発注データの不整合を防止するものである。また、発注データエントリ時に発注専用端末あるいは類似する端末からの入力の画面表示を色分けし、仮発注データと確定データが混合する等の操作者の不整合を防止するものである。
【実施例】
【００２４】
本実施例による発注システムは、例えば倉庫在庫管理等、在庫商品あるいは材料を在庫として確保するため発注処理を必要とする小売業や卸業、飲食店等の業種用の店舗システムに適用される。この発注システムは、発注データ管理端末（商品発注専用端末）あるいはそれに類似する端末及びソフトウェアを用いた処理により、商品あるいは在庫を補充する発注行為を行なう際、複数の入力端末あるいは入力方法により、複数人が作業を行なった場合でも発注データに不整合が発生することを防止する手段を備える。
【００２５】
図１は、本実施例の発注システムの全体構成を説明するものである。図１に示す発注システムは、機能上、画面表示機（表示部）１０、データ入力器（入力部）２０、演算装置（制御部）３０、及びデータベース（ＤＢ）４０を有している。
【００２６】
画面表示機１０は、例えば液晶ディスプレイ等の表示機で構成され、演算装置３０から与えられる表示データに基づき発注画面（後述参照）等の表示画面を表示する。
【００２７】
データ入力器２０は、例えばキーボードやマウス等の入力器で構成され、操作者が画面表示機１０の表示画面上で、ＤＢ４０に登録すべき特定商品を指示する特定商品登録指示データ等の各種データ（発注データも含まれる）の入力、指示、選択を行ったり、表示画面上に予め設定された所定操作ボタン・操作キー類の操作（クリック操作等）を行なってこれに対応する各種操作信号を生成したりすることが可能となっている。ここで入力、指示、選択されたデータや、生成された操作信号は、必要に応じて演算装置３０に送られる。
【００２８】
データベース４０は、発注商品データ（商品コード、商品名、価格（単価）等）を格納する商品マスタデータベース（以下、「商品マスタＤＢ」と呼ぶ）４１と、店舗毎の発注データ（発注商品名、商品コード、発注数等）のエントリをセットする発注データエントリ用データベース（以下、「発注データＤＢ」と呼ぶ）とを有している。
【００２９】
演算装置３０は、例えばプログラム制御で動作するＣＰＵを含むプロセッサから構成される表示データ演算処理器３１と、表示データ演算処理器３１のＣＰＵにより実行される制御プログラム及びプログラム実行時に使用される制御データ等を格納するＲＯＭやＲＡＭ等から成るメモリシステム３２とを備えている。
【００３０】
図１に示す発注システムで用いる商品発注専用端末、又はそれに類似し商品情報のデータエントリを行なう仕組みを持つ端末、或いはその機能を有するソフトウェアを実行するプロセッサを含む端末（以下、これらを総称して「発注端末」と呼ぶ）には、端末自身に画面表示機１０及びデータ入力器２０のほか演算装置３０を保有するタイプの発注端末１ａと、端末自身に画面表示機１０及びデータ入力器２０を保有し、ある特定の通信回線を介してネットワーク接続された演算装置３０を利用するタイプの発注端末１ｂとが含まれる。いずれのタイプでも、商品発注行為に関しては、同様の動作を実現できる。
【００３１】
図２の例では、上述の画面表示機１０、データ入力器２０、及び演算装置３０を有する発注端末１ａの例として、２つの発注端末１、２が示される。この場合、２つの発注端末１、２がそれぞれデータベース４０との間でデータのやり取りを行なう。
【００３２】
図３の例では、上述の画面表示機１０及びデータ入力器２０を有する発注端末１ｂの例として、２つの発注端末１、２が示される。この場合、２つの発注端末１、２は、通信回線５０を介して演算装置３０及びそのデータベース４０との間でデータのやり取りを行なう。この場合の発注端末１ｂには、画面表示機１０及びデータ入力器２０のほか、ネットワーク接続用の通信インターフェース（図示しない）も含まれる。また、この場合の演算装置３０には、例えばネットワーク接続されたサーバ機等のコンピュータ機が適用され、ネットワーク接続用の通信インターフェース（図示しない）も含まれる。通信回線５０は、公衆回線でも専用線でも、いずれでも適用可能であり、通信媒体は無線回線でも有線回線でも、いずれでも構わない。
【００３３】
次に、本実施例の全体動作を図４〜図６に基づいて説明する。
【００３４】
図４は、発注システムの動作手順を示す。図４に示す動作手順は、予め制御プログラムとして演算装置３０内のメモリシステム３２上にマップされ、表示データ演算処理器（制御部）３１のＣＰＵにより実行される。
【００３５】
まず、図２又は図３に示す発注端末１、２により、画面表示機１０の発注画面上で、データ入力器２０を操作することで、商品マスタＤＢ４１の商品情報（商品名、価格等）を参照しながら、発注可能商品の商品名、発注数等の発注データをエントリする（ステップＳｔ２）。
【００３６】
図５は、発注画面の表示例を示す。図５の例では、画面表示機１０により表示される発注画面１０ａには、発注すべき商品毎に、発注商品入力・表示欄１０ｂ及び発注数入力・表示欄（発注確定に対応する操作ボタンを含む）１０ｃ等が一覧表示される一方、所定位置に、発注送信ボタン１０ｄ等の操作ボタン類がクリック操作等により操作可能に設定されている。図５は、あくまで例示であり、発注画面１０ａには、少なくとも発注商品及びその発注数をエントリ可能な構成であれば、既知構成も含め、いずれでも適用可能である。
【００３７】
次いで、発注端末１、２により発注データの発注数がエントリされると、演算装置３０は、エントリされたデータを発注データＤＢ４２に仮登録する（ステップＳｔ３）。この状態では、発注データＤＢ４２上のデータは、確定データとならず仮発注データとして分類される。
【００３８】
図６は、発注データＤＢ４２上のデータの構成例を示す。図６の例では、発注データＤＢ４２に登録されるデータは、発注商品毎のレコードに、これに対応する商品名、発注数等の通常用いられる発注データａ１のほか、本実施例では、確定フラグａ２が付加されている。確定フラグａ２は、演算装置３０の処理により、例えばフラグ値が「０」のときにＯＦＦ（未確定状態）、フラグ値が「１」のときにＯＮ（確定状態）となるよう設定される。上記の仮登録の状態では、確定フラグａ２はフラグ値が「０」のまま、即ちＯＦＦ（未確定）となっている。
【００３９】
上記の状態では、発注画面上に発注商品の商品名等の商品情報が表示される（ステップＳｔ３）。また、発注商品の発注数がエントリされると、発注画面上に発注数量が表示され、エントリされたことが分かるようなボタン色と文字色に変化する（図５の発注数入力・表示欄１０ｃ参照）。
【００４０】
次いで、エントリされたデータを発注データとして確定するために、発注画面上の発注確定ボタンや発注ボタン（図５の例では、発注数入力・表示欄１０ｄ上の発注確定に対応する操作ボタン）等の操作ボタンを押下する等、明示的な操作が行われると、演算装置３０は、その操作により生成され送られてくる操作信号を契機にして、仮発注データを発注確定データとして確定するための処理を行なう（ステップＳｔ４：ＹＥＳ）。その結果、仮登録された仮発注データが本登録となり、これに伴い発注データＤＢ４２上の対応する発注データの確定フラグにおいて、フラグ値が「０」から「１」へ、即ちＯＦＦ（未確定）からＯＮ（確定状態）へその状態が変化する（ステップＳｔ５）。これにより、発注データが確定され、発注確定データになる。このとき、発注画面上では、仮登録時のボタン色と文字色も、本登録用に予め設定されたボタン色と文字色に変化する（図５の本日送信に対応する発注数入力・表示欄１０ｃ参照）。
【００４１】
図４の例は、同一店舗内の複数の発注端末を用いて同一商品の発注行為を行なう場合を考慮している。このため、ある発注端末上で、所望の発注商品に対し仮登録から発注確定登録を行った後で、他の発注端末上で、これと同一の発注商品に対しその発注数量入力の確定の操作が行われる場合も想定される。この場合、演算装置３０は、発注データＤＢ４１の確定フラグａ２の状態を参照して、該当するデータが発注確定データであることを認識し、当該データの上書きを警告するメッセージを他の発注端末に出力して操作者に注意を促すと共に、データを上書きする処理を行なう。
【００４２】
従って、本実施例によれば、発注データの仮登録と本登録確定を行なうことにより、運用に関係なく発注データのエントリミスを訂正したり発注時間中に数量変更を行なったりすることができると共に、発注データをエントリし仮登録されるデータベースと、発注データを確定し本登録されるデータベースとを同じものにすることにより、データベース間でのデータ不整合を防ぐことができる。また、発注データをエントリする商品に対して、仮発注用のボタン色の変化および発注数量の色変化と、確定発注データとして明確に判断できる色変化を分けることにより発注数量を入力済みであることを明示することができ、操作性を向上させることもできる。
【００４３】
なお、上記実施例では、発注可能商品のデータが予めデータベースに存在している場合の発注行為について説明しているが、万一、発注可能商品としてのデータがデータベースに存在しない場合でも、発注データＤＢにキーとなる発注コード（ＰＬＵ（Price Look Up）コードやＥＯＳ（Electronic Ordering System）コードなどの発注を行なう際に一意で認識できるデータ）を追加することで、発注行為は可能となる。その場合は、発注商品の商品名などの詳細情報を表示することはできないが、発注コード入力での発注行為は可能となる。発注コード入力での発注データ入力でも、複数の発注端末からのデータ入力時のデータ上書きは可能となる。
【００４４】
また、上記実施例では、仮登録の仮発注データから本登録の発注確定データへの移行を制御するために発注データＤＢの発注データに発注商品毎に確定フラグを付加し、そのフラグを用いて制御する場合を説明しているが、本発明は必ずしもこれに限定されず、このようなフラグ制御の代わりに、例えばデータの更新日付をキーとして発注データの仮登録からその本登録への移行を制御するようにしてもよい。
【図面の簡単な説明】
【００４５】
【図１】本発明の実施例による発注システムの全体構成を示す概略ブロック図である。
【図２】本発明の実施例において、自端末内に演算装置を含む場合の発注端末を用いた発注システムの構成例を説明する概略図である。
【図３】本発明の実施例において、自端末内に演算装置を含まない場合の発注端末を用いた発注システムの構成例を説明する概略図である。
【図４】本発明の実施例による発注システムの動作を示す概略フローチャートである。
【図５】発注端末上の発注画面の表示例を示す図である。
【図６】発注データＤＢ上のデータの構成例を示す図である。
【符号の説明】
【００４６】
１ａ、１ｂ  発注端末
１０  画面表示機
１０ａ  発注画面
２０  データ入力器
３０  演算装置（処理手段）
３１  表示データ演算処理器
３２  メモリシステム
４０  データベース（ＤＢ）
４１  商品マスタＤＢ
４２  発注データＤＢ
５０  通信回線
【図１】
2006277536.tif 000003
【図２】
2006277536.tif 000004
【図３】
2006277536.tif 000005
【図４】
2006277536.tif 000006
【図５】
2006277536.tif 000007
【図６】
2006277536.tif 000008